【事件の表示】
　特願２００２−５８２６４６「パケットモードスピーチ通信」拒絶査定不服審判事件〔平成１４年１０月２４日国際公開、ＷＯ０２／８５０５１、平成１６年１１月１８日国内公表、特表２００４−５３５０９７〕について、次のとおり審決する。
【結　論】
　本件審判の請求は、成り立たない。
【理　由】
第１．手続の経緯　
１．手続の経緯と本願発明
　本願は、平成１４年４月１２日（パリ条約による優先権主張　外国庁受理　平成１３年４月１７日、米国）を国際出願日とする出願であって、平成１９年７月２０日付けで手続補正がなされたが、同年１０月３１日に拒絶査定がなされ、これに対し、平成２０年２月４日に拒絶査定不服審判が請求されるとともに、同年３月５日付けで手続補正がなされたものである。
　
第２．補正却下の決定
　
［補正却下の決定の結論］
　平成２０年３月５日付けの手続補正を却下する。
　
［理由］
１．本願発明と補正後発明
　上記手続補正（以下、「本件補正」という。）は、補正前の平成１９年７月２０日付け手続補正書の特許請求の範囲の請求項１に記載された
　
「通信システムにおけるパケットモードグループボイス通信のための方法であって、
　上記通信システムの上部にグループ通信サービスエンティティを用意する段階と、
　上記グループ通信サービスエンティティに対して、少なくとも１つのグループ通信グループにおけるグループメンバの個々のアドレスを与える段階と、
　上記グループメンバの１つから上記グループ通信サービスエンティティにリアルタイムボイスパケットを送信する段階と、
を含み、
　各リアルタイムボイスパケットは、上記少なくとも１つのグループに対して、上記グループ通信サービスエンティティにおける上記グループに割り当てられたポートを用いてアドレスされ、
　さらに、上記個々のアドレスに基づいて上記グループメンバの各受信メンバに上記リアルタイムボイスパケットを個々に転送する段階を含む、
ことを特徴とする方法。」
　
という発明（以下、「本願発明」という）を、
　
「通信システムにおけるパケットモードグループボイス通信のための方法であって、
　上記通信システムの上部にグループ通信サービスエンティティを用意する段階と、
　上記グループ通信サービスエンティティに対して、少なくとも１つのグループ通信グループにおけるグループメンバの個々のアドレスを与える段階と、
　上記グループメンバの１つから上記グループ通信サービスエンティティにリアルタイムボイスパケットを送信する段階と、
を含み、
　各リアルタイムボイスパケットは、上記少なくとも１つのグループに対して、上記グループ通信サービスエンティティにおける上記グループに割り当てられたポートを用いてアドレスされ、
　上記リアルタイムパケットがリアルタイム搬送プロトコル（ＲＴＰ）に基づいたボイスパケットであり、
　さらに、上記個々のアドレスに基づいて上記グループメンバの各受信メンバに上記リアルタイムボイスパケットを個々に転送する段階を含む、
ことを特徴とする方法。」
　
　という発明（以下、「補正後発明」という。）に補正することを含むものである。
　
２．新規事項の有無、補正の目的要件について
　本件補正は、願書に最初に添付した明細書、特許請求の範囲又は図面に記載した事項の範囲内において、
　本願発明における「リアルタイムボイスパケット」について「上記リアルタイムパケットがリアルタイム搬送プロトコル（ＲＴＰ）に基づいたボイスパケットであり、」と限定して、
　特許請求の範囲を減縮するものであり、平成１４年法律第２４号改正附則第３条第１項によりなお従前の例によるとされる同法による改正前の特許法第１７条の２第３項（新規事項）の規定及び平成１４年法律第２４号改正附則第２条第１項によりなお従前の例によるとされる同法による改正前の特許法第１７条の２第４項第２号（補正の目的）の規定に適合している。
　
３．独立特許要件について
　上記補正は特許請求の範囲の減縮を目的とするものであるから、上記補正後発明が特許出願の際独立して特許を受けることができるものであるのかどうかについて以下に検討する。
　
（３−１）補正後発明
　上記「１．本願発明と補正後発明」の項で「補正後発明」として認定したとおりである。
　
（３−２）引用発明
　原査定の拒絶の理由に引用された国際公開第９９／６３７７３号（以下、「引用例」という。）には、「DYNAMIC ALLOCATION OF RADIO RESOURCES IN A PACKET SWITCHED COMMUNICATIONS-SYSTEM」（邦訳：パケット交換通信システムにおける無線源の動的配置）として図面と共に次の記載がある。
　
イ．「Referring to Figure 2, a GSM-compliant mobile station 8 in accordance with an embodiment of the present invention is a handset which comprises a transmit/receive aerial 16, a radio frequency transceiver 18, a GPRS module 19 which includes a packetiser/depacketiser and buffer store, a speech coder/decoder 20 connected to a loudspeaker 22 and a microphone 24, a processor circuit 26 and its associated memory 28, an LCD display 30, a manual input port (keypad) 32 and a push-to-talk button 34. The mobile station is connected to a removable subscriber identity module (SIM) not shown, via electrical contacts.
　Figure 3 is a schematic illustration of a GSM-type PLMN arranged in accordance with an embodiment of the present invention. The PLMN includes GPRS support nodes, including one or more serving GPRS support nodes (SGSNs) 40, and a gateway GPRS support node (GGSN) 44. The PLMN includes all of the components described in relation to Figure 1.
　The mobile station 8 may conduct circuit-switched calls, via the MSC 2, immediately after camping on to a serving cell, as in the prior art.
　The GGSN 44 is the node provided to interface the PLMN with an external packet data network 46, such as a TCP/IP network. It contains routing information for active GPRS users in the PLMN, which is used to transmit data packets, referred to as packet data protocol protocol data units (PDP PDUs) to the current point of attachment of a mobile station in the PLMN from the packet data network. The GGSN provides a mapping function for mapping a packet data protocol (PDP) address, whereby a mobile user is identified in the packet data network 46, to a mobile station identity, whereby the mobile user is identified in the PLMN. The PDP address of a mobile user conforms with the standard addressing scheme of the respective network layer service used in the packet data network 46, for example an IP version 4 address, an IP version 6 address or an X.121 address.」（８頁１８行〜９頁２２行）
　
（イ．邦訳）
「図２で、本発明の実施形態によるＧＳＭ適合移動局８は送受話器であり、送受信アンテナ１６、無線周波トランシーバ１８、パケタイザ／デパケタイザ及びバッファ記憶装置を含むＧＰＲＳモジュール１９、拡声器２２とマイクロフォン２４に接続したスピーチコーダ／デコーダ２０、プロセッサ回路２６とその関連メモリ２８、ＬＣＤディスプレー３０、手動入力ポート（キーパッド）３２及びプッシュ・ツー・トークボタン３４から成る。この移動局を電気接点経由で図示されない取外し可能加入者識別モジュール（ＳＩＭ）に接続する。
　図３は、本発明の実施形態により配備されたＧＳＭ型ＰＬＭＮの概略図である。ＰＬＭＮは、一つ以上のサービングＧＰＲＳサポートノード（ＳＧＳＮｓ）４０を含むＧＰＲＳサポートノードとゲートウェイＧＰＲＳサポートノード（ＧＧＳＮ）４４を持つ。ＰＬＭＮは図１に関連して説明した構成要素の全てを含む。
　移動局８は、従来技術のようにサービングセルへのキャンピング直後にＭＳＣ経由で回路交換電話を行うことができる。
　ＧＧＳＮ４４は外部パケットデータ網４６、例えばＴＣＰ／ＩＰ網とＰＬＭＮをインタフェースするように具備したノードである。それはＰＬＭＮ内の活性ＧＰＲＳユーザ用のルーティング情報を含み、パケットデータ網からＰＬＭＮ内の移動局の取付けの電流点にパケットデータプロトコル  プロトコルデータユニット（ＰＤＰ  ＰＤＵｓ）に属するデータパケットを送信するのに用いられる。ＧＧＳＮはパケットデータプロトコル（ＰＤＰ）アドレスを写像するためのマッピング機能を提供し、それによって移動ユーザはパケットデータ網４６内で移動局の身元に識別され、移動ユーザをＰＬＭＮ内で識別する。移動ユーザのＰＤＰアドレスはパケットデータ網４６内で使用されるそれぞれのネットワークレーヤサービスの標準アドレススキーム、例えばＩＰバージョン４アドレス、ＩＰバージョン６アドレス又はＸ．１２１アドレスと一致する。」
　
　
ロ．「Thus, with the additional functionality of the SGSNs 40 and the GGSN 44 in the PLMN, and the GPRS module 19 in the mobile stations 8, the mobile networks and users are GPRS enabled, whereby the mobile users may transmit and receive packet mode data. For example, the mobile user may use the mobile station 8 in order to access Web pages, using terminal equipment attached to the mobile station 8, on the public Internet, via the gateway functionality provided by the GGSN 44 and the packet mode transfer functionality provided in the remainder of the network including the SGSNs 40,42, the BSCs 4, the BTSs 6 and the GPRS radio interface.
　The GPRS radio interface is described in GSM 03.64 Version 5.1.0, entitledDigital Cellular Communications System (Phase 2+) ; General Packet Radio Service (GPRS); Overall Description of the GPRS Radio Interface; Stage 2, published by European Telecommunications Standard Institute, the contents of which are incorporated herein by reference.
　The GPRS architecture and transmission mechanism, mobility management functionality, network management functionality, radio resource functionality, packet routing and transfer functionality, transmission and information storage using GPRS are described in GSM 03.60 Version 5.2.0, entitledDigital Cellular Telecommunications System (Phase 2+) ; General Packet Radio Service (GPRS); Service Description; Stage 2, published by the European Telecommunications Standard Institute, the contents of which are incorporated herein by reference.
　In addition to the standard GPRS infrastructure, this embodiment of mobile communications system of the present invention includes a dispatch packet handler 48, a packet store 50, a packet user database (PUD) 52 and a service management terminal 54.
　The packet handler 48 is responsible for setting up virtual connections between GPRS users in the PLMN, and for copying packets when data packets are to be distributed to groups of users. 
　The packet store 50 is responsible for storing data packets which are intended for distribution to GPRS users within the PLMN who are uncontactable via GPRS at the time of receipt of data packets for the uncontactable user at the packet handler 48.
　The packet user database 52 holds service data records used by the packet handler 48 to set up and manage virtual connections between GPRS users in the PLMN. The service management terminal 54 is used to update the service data in the PUD 52.
　The PUD 52 holds call group records for identifying the members of a call group. Referring to Figure 4, which shows an exemplary call group record, a field for a single call group is identified by a call group ID containing fields 60, two or more mobile station IDs, MSID1, MSID2...MSIDn are contained in fields 62, and each mobile station ID field 62 has an associated call seize field 64 flagged to indicate that the associated mobile station has currently seized the call group.
　In addition to call group records, the packet user database 52 stores identification records for each mobile subscriber in the PLMN who has a valid subscription to the GPRS virtual connection service of the present invention. Referring to Figure 5, each such subscriber has a mobile subscriber record including a field 66 containing a permanent mobile station ID 66, a field 68 for containing an allocated PDP address, if current, and a field 70 for containing a call group ID, if current, for the mobile subscriber in question. If the PDP address field 68 is empty, this indicates that the mobile station is not currently attached to the GPRS service. If the current call group ID field 70 is empty, this indicates that the subscriber is not currently participating in a GPRS virtual connection call.」（１０頁１８行〜１３頁３行）
　
（ロ．邦訳）
「それゆえ、ＰＬＭＮ内のＳＧＳＮｓ４０とＧＧＳＮ４４と、移動局８内のＧＰＲＳモジュール１９の機能性を追加すると、移動網とユーザはＧＰＲＳを有効にし、それにより移動ユーザはパケットモードデータを送受信できる。例えば、移動ユーザは、公衆インタネット上で移動局８に取付けた端末機器を用いて、ＧＧＳＮ４４により与えられたゲートウェイ機能性と、ＳＧＳＮｓ４０、４２、ＢＳＣｓ４、ＢＴＳｓ６、ＧＰＲＳ無線インタフェースを含むネットワークの残りに与えられたパケットモード転送機能性とを経由して移動局８を用いてＷｅｂページにアクセスできる。
　ＧＰＲＳ無線インタフェースは、“デジタルセルラ通信システム（フェーズ２＋）”という名称のＧＳＭ０３．６４バージョン５．１．０；ＧＰＲＳ無線インタフェースの総合説明；欧州遠隔通信標準協会出版のステージ２に説明される。これらの内容はここに参照して組込まれる。
　ＧＰＲＳアーキテクチャと伝送機構、移動管理機能性、ネットワーク管理機能性、無線源機能性、パケットルーティング転送機能性、ＧＰＲＳによる伝送及び情報記憶装置は、“デジタルセルラ遠隔通信システム（フェーズ２＋）”という名称のＧＳＭ０３．６０バージョン５．２．０；汎用パケット無線サービス（ＧＰＲＳ）；欧州遠隔通信標準協会出版のステージ２に説明される。これらの内容はここに参照して組込まれる。
　標準ＧＰＲＳ基幹的電気通信設備に加えて、本発明の移動通信システムの実施形態は発信パケットハンドラー４８、パケット記憶装置５０、パケットユーザデータベース（ＰＵＤ）５２及びサービス管理端末５４を持つ。
　パケットハンドラー４８はＰＬＭＮ内のＧＰＲＳユーザ間の仮想接続を設定し、且つ、データパケットをユーザのグループに分配する場合にパケットを複製する役割がある。
　パケット記憶装置５０は、パケットハンドラー４８で接触不可能なユーザ用のデータパケットの受信時にＧＰＲＳ経由で接触不可能なＰＬＭＮ内部のＧＰＲＳユーザへの分配を意図したデータパケットを記憶する役目がある。
　パケットユーザデータベース５２はパケットハンドラー４８により使用されるサービスデータ記録を保持してＰＬＭＮ内のＧＰＲＳユーザ間の仮想接続を設定し、管理する。サービス管理端末５４を用いてＰＵＤ５２内のサービスデータを更新する。
　ＰＵＤ５２はコールグループのメンバを識別するためにコールグループの記録を保持する。図４は、代表的コールグループの記録を示す。単一コールグループのフィールドを、フィールド６０を含むコールグループＩＤにより識別する。二つ以上の移動局ＩＤｓ、ＭＳＩＤ１，ＭＳＩＤ２・・・ＭＳＩＤｎはフィールド６２に含まれ、各移動局ＩＤフィールド６２は、関係移動局がコールグループを現在捕えたことを示す合図をした関連電話占有（seize）フィールド６４を持つ。
　コールグループ記録に加えて、パケットユーザデータベース５２は、本発明のＧＰＲＳ仮想接続サービスに対し有効なサブスクリプションを持つＰＬＭＮ内の各移動加入者用の識別記録を記憶する。図５で、各このような加入者は、永久移動局ＩＤ６６，現在であれば、配置ＰＤＰアドレスを含むためのフィールド６８、及びコールグループＩＤを含むための、現在であれば、問題の移動加入者用のフィールド７０とを含めたフィールド６６を含む移動加入者記録を持つ。ＰＤＰアドレスフィールド６８が空であれば、これは、移動局が現在、ＧＰＲＳサービスに取付けられていないことを示す。現在のコールグループＩＤフィールド７０が空であれば、これは、加入者がＧＰＲＳ仮想接続コールに現在、参加していないことを示す。」
　
　
ハ．「Data packets originated in the packet handler 48 are transmitted to a mobile station 8 by attaching the allocated PDP address, which is held in the PUD 52 for the recipient, to the data packet as a destination address in a header portion of the data packet. The data packet is transmitted, via the packet data network 46, to the GGSN 44. In the GGSN 44, the PDP address of the receiver is read, and the SGSN which is serving the mobile station is identified from routing data held in the HLR 12. The data packet is then GSN-GSN encapsulated and sent to the identified SGSN. The SGSN strips the GPS backbone network encapsulation, and the original data packet is SGSN-MS encapsulated and transmitted to the mobile station 8 via the BSC 4, BTS 6 and GPRS radio interface.
　When the mobile station 8 receives the packet, it removes the SGSN MS encapsulation and processes the data packet. If the data packet is a voice data packet, a sequence of packets are reassembled and a voice signal is generated in the mobile terminal.
　The user may set up a call by selecting, via a man machine interface, e.g. the keypad 32, of the mobile station 8, from a stored list of call groups of which the mobile user is a member, a call group for which a virtual connection is to be established. Such selection is part of the initiation of a call set up-transmit procedure, step 102, which is to be described below in relation to Figure 7.
　Once logged-on to the GPRS service, the mobile station 8 is able to receive call set up-receive requests from the packet handler 48, which initiates a procedure to be described below in relation to Figure 9. Once participating in a call, the mobile station 8 is also able to start to receive call data packets, step 106, and start to transmit call data packets, step 108, to be described below in relation to Figures 7 and 8. In addition, a user has the facility to end participation in a call, by interaction with a man machine interface, e.g. the keypad 32, of the mobile station 8, step 110, which causes the mobile station to transmit an end participation request to the packet handler 48, step 112, and to delete the call group ID from its current call record, step 114.
　The user may also logoff the GPRS service if desired, step 116, which results in logoff procedures carried out by the mobile station 8, step 118, including the deletion of the allocated PDP address for the subscriber in the HLR records stored by the GGSN 44. The GGSN 44 is arranged such that, on receiving a logoff message from the SGSN 40, the GGSN 44 also transmits a logoff message to the packet handler 48, which results in the deletion of the previously allocated PDP address from the PDP address field 68 in the mobile subscriber record held for the subscriber in the PUD 52.
　Referring to Figure 7, when a user first instructs the mobile station 8 to set up a call for a particular call group, by the depression of the PTT button 34 after the selection of a call group from a list of call groups stored in the SIM of the mobile station 8, the mobile station 8 transmits a set up request, containing the selected call group ID, as one or more GPRS data packets to the packet handler 48, step 200. The call handler conducts procedures to be described below in relation to Figure 8, and, depending on the success of those call set up procedures, the packet handler 48 may transmit a set up confirmation message to the mobile station within a time-out set within the mobile station 8, or not. If the call set up confirmation is not received within the time-out at the mobile station, step 202, the mobile station returns to the general GPRS logged-on state, and the mobile station 8 may retry by transmitting a further call set up request.
　If the set up confirmation message is received from the packet handler 48 within the time-out, the mobile station 8 provides an audio or visual indication to the user that a virtual connection has been established, step 204. In addition, the mobile station places the call group ID selected by the user in a current call record, step 206.
　At this point, the user may transmit voice data by speaking into the microphone 24 as long as the PTT button 34 remains depressed. The speech signals are coded by the codec 20 and passed on to the GPRS module 19, in which the speech data is packetised and buffered, step 208, and SGSN-MS encapsulated for transmission over the GPRS radio interface by the radio frequency transceiver 18 and onward to the packet handler 48, step 210.
　As soon as the PTT button 34 is released, step 212, the mobile station 8 generates a transmit end message, in the form of a data packet, which is transmitted to the packet handler 48, step 214.
　Referring to Figure 8, on receipt of a call set up request, step 300, the packet handler 48 retrieves, using the call group ID contained in the call set up request, the recipient records from the PUD 52 which identify the recipients which are currently available for receipt of a call set up message, step 302. Each mobile station in the call group record has an associated mobile station record which is identified by the mobile station ID contained in the call group record. For each mobile station record which contains a PDP address and no current call group ID, a set up message is transmitted by the packet handler, using the PDP address retrieved for the mobile station in question, step 304. Mobile station records which contain either no allocated PDP address or contain a current call group ID are placed in a call waiting list in the PUD 52, and voice data packets subsequently received for the same call group are forwarded to the packet store 50 for storage. In the case of a potential recipient not yet logged-on to the GPRS service, on receipt of notification at the packet handler 48 that the recipients have subsequently logged-on, a set up message is then transmitted, to allow the previously unavailable recipient to receive the data held in the packet store 50 if desired. Similarly, if a potential recipient is unavailable because the recipient is engaged in a different call, once the packet handler 48 receives an end participation message from the potential recipient for the previous call, the packet handler responds by transmitting a set up message to the previously unavailable recipient, to allow the recipient for the previous call, the packet handler responds by transmitting a set up message to hte previously unavailable receipient, to allow the recipient to receive data previously held in the packet store 50 if desired.
　If the packet handler receives no ackowledgements from the available recipients to which set up messages have been sent within a time-out set in the packet handler 48, step 306, the call set up has been unsuccessful and the packet handler ends the procedure without storing any references to the call set up attempt either in the PUD 52 or in the packet store 50.
　Otherwise, the packet handler 48 enters the call group ID into the current call group field 70 for both the call set up request sender and the call set up message recipients which have acknowledged call set up, step 308. As further recipients acknowledge call set up, the current call group ID is entered into the call group ID field 70 for each of the additional recipients.
　In addition, the packet handler 48 sets the call seize flag in the field 64 of the call group record which corresponds to the mobile station ID of the call set up request sender, and transmits a set up confirmation message to the sender, step 310, indicating that the sender is now able to transmit voice data, step 310.」（１６頁１行〜２０頁１２行）
　
（ハ．邦訳）
「受信人用のＰＵＤ５２内に保持される配置ＰＤＰアドレスをデータパケットのヘッダ部分にある行き先アドレスとしてデータパケットに取付けることによってパケットハンドラー４８内に発生したデータパケットを移動局８に送信する。データパケットをパケットデータ網４６経由でＧＧＳＮ４４に送信する。ＧＧＳＮ４４内で、受信機のＰＤＰアドレスを読取り、移動局を利用しているＳＧＳＮをＨＬＲ１２に保持されたルーティングデータから識別する。次に、データパケットをＧＳＮ−ＧＳＮカプセル封入し、識別されたＳＧＳＮに送る。ＳＧＳＮはＧＰＳバックボーンネットワークカプセル封入を取外し、元のデータパケットをＳＧＳＮ−ＭＳカプセル封入し、ＢＳＣ４，ＢＴＳ６及びＧＰＲＳ無線インタフェース経由で移動局８に送信する。
　移動局８がパケットを受信すると、それはＳＧＳＮ−ＭＳカプセル封入を除去し、データパケットを処理する。データパケットがボイスデータパケットであれば、一連のパケットを再組み立てし、ボイス信号を移動端末内に発生する。
　ユーザは、移動局８のマンマシンインタフェイス、例えばキーパッド３２経由で、移動ユーザがメンバであるコールグループの記憶表から仮想接続が確立されているコールグループを選択することによって電話を設定できる。このような選択は電話設定送信手順（ステップ１０２）の初期化の一部であり、図７に関連して以下に説明される。
　ＧＰＲＳサービスにログオンすると、移動局８はパケットハンドラー４８からの電話設定受信要請を受信でき、図９に関連して以下に説明するように手順を初期化する。電話に参入すると、移動局８は、図７と図８に関連して下に説明するようにコールデータパケットを受信し始め（ステップ１０６）、コールデータパケットを送信し始める（ステップ１０８）こともできる。さらに、ユーザは、移動局８のマンマシンインタフェイス、例えばキーパッド３２との相互作用により電話への参入を終わらせる（ステップ１１０）機能を持ち、移動局がパケットハンドラー４８に参入終了要請を送信でき（ステップ１１２）、且つ、その現在の電話記録からコールグループＩＤを削除できる（ステップ１１４）。
　ユーザは所望ならばまたＧＰＲＳサービスをログオフでき（ステップ１１６）、その結果、ＧＧＳＮ４４により記憶されたＨＬＲ記録内の加入者用割当てＰＤＰアドレスの削除を含むログオフ手順が移動局８により実行される（ステップ１１８）。ＳＧＳＮ４０からログオフメッセージを受信すると、ＧＧＳＮ４４がログオフメッセージをパケットハンドラー４８に送信し、その結果、ＰＵＤ５２内の加入者用に保持された移動加入者記録内のＰＤＰアドレスフィールド６８から先に配置したＰＤＰアドレスを削除することになるようにＧＧＳＮ４４を構成する。
　図７で、移動局８のＳＩＭに記憶されたコールグループ表からコールグループの選択後にＰＴＴボタン３４を押すことにより、ユーザが特定コールグループの電話を設定するように移動局８に先ず指示すると、移動局８は一つ以上のＧＰＲＳデータパケットとして選択コールグループＩＤを含む設定要請をパケットハンドラー４８に送信する（ステップ２００）。コールハンドラーは図８に関連して以下に説明する手順を行い、それらの電話設定手順の成功により、パケットハンドラー４８が移動局８内のタイムアウト設定内で移動局に設定確認メッセージを送信したり、しなかったりできる。電話設定確認が移動局でタイムアウト内に受信されない場合（ステップ２０２）、移動局は一般的なＧＰＲＳログオン状態に戻り、移動局８は別の電話設定要請を送信することにより再度試みる。
　設定確認メッセージをタイムアウト内にパケットハンドラー４８から受信すると、移動局８は仮想接続が確立されたことをユーザにオーディオビジュアルで表示する（ステップ２０４）。さらに、移動局はユーザにより選択されたコールグループＩＤを現在の電話記録に入れる（ステップ２０６）。
　この時点で、ＰＴＴボタン３４が押されたままである限り、ユーザはマイクロフォン２４に話すことによってボイスデータを送信できる。ボイス信号をコーデック２０により符号化し、ボイスデータをパケット化し、バッファするＧＰＲＳモジュール１９に通され（ステップ２０８）、無線周波トランシーバ１８によるＧＰＲＳ無線インタフェース上でパケットハンドラー４８の前方への送信用にＳＧＳＮ−ＭＳカプセル封入される（ステップ２１０）。
　ＰＴＴボタン３４を放すや否や（ステップ２１２）、移動局８は送信終了メッセージをデータパケットの形態で作成し、パケットハンドラー４８に送信する（ステップ２１４）。
　図８で、電話設定要請を受信すると（ステップ３００）、電話設定要請内に含まれるコールグループＩＤにより、パケットハンドラー４８はＰＵＤ５２から、電話設定メッセージの受信を現在利用可能な受信人を識別する受信人記録を検索する（ステップ３０２）。コールグループ記録内の各移動局は、コールグループ記録内に含まれた移動局ＩＤにより識別される関連移動局を持つ。ＰＤＰアドレスと非現在コールグループＩＤを含む各移動局記録では、当該移動局用に検索されたＰＤＰアドレスにより設定メッセージをパケットハンドラーにより送信する（ステップ３０４）。非配置ＰＤＰアドレスを含むか、又は現コールグループＩＤを含む移動局記録をＰＵＤ５２内の電話控え表に入れ、同じコールグループ用に連続して受信したボイスデータパケットを記憶用のパケット記憶装置５０に送る。潜在的受信人がＧＰＲＳサービスに未だログオンしていない場合、その後に受信人がログオンしたという通知をパケットハンドラー４８で受信すると、次に、設定メッセージを送信して、所望すれば、先の未利用受信人がパケット記憶装置５０に保持されたデータを受信できる。同じ様に、受信人が異なる電話を掛けているので、潜在的受信人が利用不可能な場合、パケットハンドラー４８が先行電話の潜在的受信人から参入終了メッセージを受信すると、パケットハンドラー４８は設定メッセージを先行の利用不可能受信人に送信することにより応答して、受信人が所望すればパケット記憶装置５０に先に保持されたデータを受信できる。
　パケットハンドラーが、パケットハンドラー４８のタイムアウト設定内で設定メッセージを送られた利用可能受信人からの承認を受信しない場合（ステップ３０６）、電話設定が不成功に終わり、パケットハンドラーは、ＰＵＤ５２内か、パケット記憶装置５０内のどちらかで電話設定の試みの基準を記憶しないで手順を終了する。
　さもないと、パケットハンドラー４８は、電話設定要請発信人と承認電話設定を持つ電話設定メッセージ受信人の双方に対するコールグループＩＤを現コールグループフィールド７０に入れる（ステップ３０８）。別の受信人が電話設定を承認すると、追加された受信人の各々に対する現コールグループＩＤをコールグループＩＤフィールド７０内に入れる。
　さらに、パケットハンドラー４８は、電話設定要請発信者の移動局ＩＤに対応するコールグループ記録のフィールド６４に電話占有フラッグを設定し、発信者が今、ボイスデータを送信できることを表示する（ステップ３１０）設定確認メッセージを発信者に送信する（ステップ３１０）。」　
　
　
　上記引用例の記載及び関連する図面並びにこの分野の技術常識を考慮すると、
（１）引用例記載の「通信システム」で行われる通信では、「パケットモード」を用いて「コールグループ」の「メンバ」に「ボイスデータパケット」を送受信しているから、パケットモードグループボイス通信といえるものであり、
（２）上記ロ．から明らかなように、「パケットハンドラー４８」、「ＰＵＤ５２」、「サービス管理端末５４」は、「コールグループ」への「サービス」のために用意されており、
（３）上記ロ．から明らかなように、「ＰＵＤ５２」には、「コールグループ」の「メンバ」の「配置ＰＤＰアドレス」が与えられており、
（４）上記ハ．から明らかなように、「コールグループ」の「メンバ」の１つである「ユーザ」から「パケットハンドラー４８」に「ボイスデータパケット」を送信しており、
（５）上記ハ．から明らかなように、「ボイスデータパケット」は、「コールグループ」に対して「アドレス」されており、
（６）上記ロ．、ハ．から明らかなように、「受信人用のＰＤＰアドレス」に基づいて、「コールグループ」の「メンバ」に「ボイスデータパケット」を送信して転送を行っており、
（７）図３から明らかなように、「パケットハンドラー４８」、「ＰＵＤ５２」、「サービス管理端末５４」は、ＰＬＭＮやＩＰ網からなる通信ネットワークを用いたサービスを実施するものであるから、「通信システム」の上部にあって、全体として、「コールグループ」の「サービス」のための存在（エンティティ）であるから、グループ通信サービスエンティティといえるものである。
　
　したがって、上記（１）〜（７）からして、引用例には以下の発明（以下、「引用発明」という。）が開示されていると認められる。
　 
「通信システムにおけるパケットモードグループボイス通信のための方法であって、
　上記通信システムの上部にグループ通信サービスエンティティを用意する段階と、
　上記グループ通信サービスエンティティに対して、少なくとも１つのグループ通信グループにおけるグループメンバの個々のアドレスを与える段階と、
　上記グループメンバの１つから上記グループ通信サービスエンティティにボイスデータパケットを送信する段階と、
を含み、
　各ボイスデータパケットは、上記少なくとも１つのグループに対して、アドレスされ、
　さらに、上記個々のアドレスに基づいて上記グループメンバの各受信メンバに上記ボイスデータパケットを個々に転送する段階を含む、
方法。」　
　
（３−３）対比
補正後発明と引用発明とを対比するに、
引用発明の「ボイスデータパケット」は、補正後発明の「ボイスパケット」に相当する。
　
　したがって、補正後発明と引用発明とは、以下の点で一致ないし相違している。
　
 （一致点）
「通信システムにおけるパケットモードグループボイス通信のための方法であって、
　上記通信システムの上部にグループ通信サービスエンティティを用意する段階と、
　上記グループ通信サービスエンティティに対して、少なくとも１つのグループ通信グループにおけるグループメンバの個々のアドレスを与える段階と、
　上記グループメンバの１つから上記グループ通信サービスエンティティにボイスパケットを送信する段階と、
を含み、
　各ボイスパケットは、上記少なくとも１つのグループに対して、アドレスされ、
　さらに、上記個々のアドレスに基づいて上記グループメンバの各受信メンバに上記ボイスパケットを個々に転送する段階を含む、
方法。」　
　
（相違点１）
　補正後発明の「ボイスパケット」が、「リアルタイムボイスパケット」であって「リアルタイム搬送プロトコル（ＲＴＰ）に基づいたボイスパケット」であるのに対して、引用発明では不明な点。
　
（相違点２）
　補正後発明では、「上記グループ通信サービスエンティティにおける上記グループに割り当てられたポートを用いて」アドレスされるのに対して、引用発明では不明な点。
　
　
（３−４）当審の判断 
　そこで、まず相違点１について検討すると、ボイスパケットの通信に際して、ＲＴＰに基づいたリアルタイムボイスパケットを用いることは、例えば、特開２００１−４３０９４号公報（段落００２６等）、特開２０００−７８１９７号公報（段落０００６等）に記載されるように周知技術であるから、引用発明におけるボイスパケットを、「リアルタイムボイスパケット」であって「リアルタイム搬送プロトコル（ＲＴＰ）に基づいたボイスパケット」とすることは、当業者であれば適宜成し得ることである。
　次に、相違点２について検討すると、例えば、特開平８−１６１２４９号公報（段落００２３〜００３１）に記載されるように、端末グループ内での通信において、グループに割り当てられたポートを用いることは周知技術であるから、引用発明のグループ通信サービスエンティティにおいてグループに割り当てられたポートを用いる程度のことは、当業者の通常の創作能力の発揮にすぎない。したがって、引用発明において「上記グループ通信サービスエンティティにおける上記グループに割り当てられたポートを用いて」アドレスされるようにすることは、当業者が容易に想到し得るものである。
　
　以上のとおり、補正後発明は引用発明及び周知技術に基づいて当業者が容易に発明できたものであるから、特許法第２９条第２項の規定により、特許出願の際独立して特許を受けることができないものである。
　
４．結語
　以上のとおり、本件補正は、補正後発明が特許出願の際独立して特許を受けることができないものであるから、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
　
第３．本願発明について
１．本願発明 
　平成２０年３月５日付けの手続補正は上記のとおり却下されたので、本願発明は、上記「第２．補正却下の決定」の項中の「１．本願発明と補正後の発明」の項で、「本願発明」として認定したとおりである。
　
２．引用発明
　引用発明は、上記「第２．補正却下の決定」の項中の「３．独立特許要件について」の項中の「（３−２）引用発明」の項で認定したとおりである。 
　
３．対比・判断
　そこで、本願発明と引用発明とを対比するに、本願発明は上記補正後発明から当該補正に係る限定を省いたものである。 
　そうすると、本願発明の構成に当該補正に係る限定を付加した補正後発明が、上記「第２．補正却下の決定」の項中の「３．独立特許要件について」の項で検討したとおり、引用発明及び周知技術に基づいて容易に発明できたものであるから、本願発明も同様の理由により、容易に発明できたものである。
　
４．むすび
　以上のとおり、本願発明は、引用発明及び周知技術に基づいて当業者が容易に発明をすることができたものと認められるから、特許法第２９条第２項の規定により特許を受けることができない。
　
　よって、結論のとおり審決する。